(57)【特許請求の範囲】
【請求項１】
バーナと、
前記バーナに燃焼用空気を供給するファンと、
前記バーナに燃料を供給する燃料供給部と、
給水管及び給湯管と接続され、前記バーナにより加熱されて、前記バーナの燃焼排ガスと内部を流通する水との間で熱交換を行う熱交換器と、
前記給水管の開度を調節する水量調節弁と、
目標給湯温度を設定する給湯温度設定器と、
前記給水管を流れる水の流量を検出する水流センサと、
前記水流センサにより下限流量以上の流量が検出されているときに、前記給湯管から供給される湯の温度が前記目標給湯温度となるように、前記水量調節弁により前記給水管の開度を制御すると共に、前記バーナの目標燃焼量を決定し、該目標燃焼量に応じて、前記ファンの回転速度と前記燃料供給部による燃料の供給量を制御する給湯運転を実行するコントローラと
を備えた給湯装置において、
電池と、
商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と
を備え、
前記コントローラと前記ファンと前記燃料供給部と前記水量調節弁とは、前記電源回路から出力される電力により作動し、
前記コントローラは、前記第１電力により作動しているときは、前記バーナの目標燃焼量を第１上限燃焼量以下に設定して前記給湯運転を実行し、前記第２電力により作動しているときには、前記バーナの目標燃焼量を該第１上限燃焼量よりも少ない第２上限燃焼量以下に設定して前記給湯運転を実行することを特徴とする給湯装置。
【請求項２】
請求項１に記載の給湯装置において、
前記コントローラは、前記第２電力により作動しているときに、前記給湯温度設定器により設定される目標給湯温度の上限を、前記第１電力により作動しているときよりも低い温度に制限することによって、前記バーナの目標燃焼量を前記第２上限燃焼量以下に設定することを特徴とする給湯装置。
【請求項３】
請求項１又は請求項２に記載の給湯装置において、
前記コントローラは、前記第２電力により作動しているときに、前記水量調節弁により、前記給水管の最大通水量を前記第１電力により作動しているときよりも少なくすることによって、前記バーナの目標燃焼量を前記第２上限燃焼量以下に設定することを特徴とする給湯装置。
【請求項４】
請求項１から請求項３のうちいずれか１項に記載の給湯装置において、
前記バーナは複数のバーナブロックにより構成されて、燃焼させるバーナブロックの組合せにより燃焼量を変更し、
前記コントローラは、燃焼させる前記バーナブロックの組合せ毎に、前記ファンの回転速度と前記燃料供給部による燃料供給量を調節して前記バーナの燃焼量を制御し、該組合せ毎に前記第１上限燃焼量と前記第２上限燃焼量を設定することを特徴とする給湯装置。
【請求項５】
請求項１から請求項４のうちいずれか１項に記載の給湯装置において、
前記燃料供給部は、ガス供給管を介して前記バーナに燃料ガスを供給し、該ガス供給管に設けられて、通電量に比例して該ガス供給管の開度が大きくなるガス比例弁を有し、
前記コントローラは、前記ガス比例弁の開度を変更して前記バーナへの燃料ガスの供給量を制御することを特徴とする給湯装置。
【請求項６】
請求項１から請求項５のうちいずれか１項記載の給湯装置において、
前記コントローラが前記第２電力により作動しているときに、給湯能力が制限されていることを報知する報知部を備えたことを特徴とする給湯装置。
【発明の詳細な説明】
【技術分野】
【０００１】
本発明は、停電用のバックアップ電池を備えた給湯装置に関する。
【背景技術】
【０００２】
従来より、充電式の電池を組み込み、停電時に電池をバックアップ電源として利用することによって、停電時にも給湯と追焚きができるようにした給湯装置が提案されている（例えば、特許文献１参照）。
【先行技術文献】
【特許文献】
【０００３】
【特許文献１】実開平６−１４８５５号公報
【発明の概要】
【発明が解決しようとする課題】
【０００４】
停電時に電池から供給可能な電力は限られているため、給湯装置の運転態様によっては、短時間で電池が消耗して給湯装置による給湯が不能となることが生じ得る。
【０００５】
そこで、本発明は、停電時の給湯可能時間を長くすることができる給湯装置を提供することを目的とする。
【課題を解決するための手段】
【０００６】
本発明は上記目的を達成するためになされたものであり、バーナと、前記バーナに燃焼用空気を供給するファンと、前記バーナに燃料を供給する燃料供給部と、給水管及び給湯管と接続され、前記バーナにより加熱されて、前記バーナの燃焼排ガスと内部を流通する水との間で熱交換を行う熱交換器と、前記給水管の開度を調節する水量調節弁と、目標給湯温度を設定する給湯温度設定器と、前記給水管を流れる水の流量を検出する水流センサと、前記水流センサにより下限流量以上の流量が検出されているときに、前記給湯管から供給される湯の温度が前記目標給湯温度となるように、前記水量調節弁により前記給水管の開度を制御すると共に、前記バーナの目標燃焼量を決定し、該目標燃焼量に応じて、前記ファンの回転速度と前記燃料供給部による燃料の供給量を制御する給湯運転を実行するコントローラとを備えた給湯装置の改良に関する。
【０００７】
そして、電池と、商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路とを備え、前記コントローラと前記ファンと前記燃料供給部と前記水量調節弁とは、前記電源回路から出力される電力により作動し、前記コントローラは、前記第１電力により作動しているときは、前記バーナの目標燃焼量を第１上限燃焼量以下に設定して前記給湯運転を実行し、前記第２電力により作動しているときには、前記バーナの目標燃焼量を該第１上限燃焼量よりも少ない第２上限燃焼量以下に設定して前記給湯運転を実行することを特徴とする（第１発明）。
【０００８】
第１発明によれば、前記商用電源の停電が生じると、前記電源回路から出力される電力が、前記商用電源の出力電力に基づく前記第１電力から前記電池の出力電力に基づく前記第２電力に切替わる。そして、前記コントローラは、前記第２電力により作動しているときに、前記バーナの目標燃焼量を、前記第１電力により作動しているときの上限である前記第１上限燃焼量よりも少ない第２上限燃焼量以下に設定して前記給湯運転を実行する。
【０００９】
このように、前記商用電源の停電時における前記バーナの目標燃焼量の上限を下げることにより、前記バーナを燃焼させるときの前記ファンの回転速度が制限されて、前記ファンの消費電力が抑制されるため、前記商用電源の停電時における給湯可能時間を長くすることができる。
【００１０】
また、第１発明において、前記コントローラは、前記第２電力により作動しているときに、前記給湯温度設定器により設定される目標給湯温度の上限を、前記第１電力により作動しているときよりも低い温度に制限することによって、前記バーナの目標燃焼量を前記第２上限燃焼量以下に設定することを特徴とする（第２発明）。
【００１１】
第２発明によれば、前記コントローラは、前記第２電力により作動しているときに、前記給湯温度設定器により設定される目標給湯温度の上限を、前記第１電力により作動しているときよりも低い温度に制限する。これにより、目標給湯温度に応じて決定される前記バーナの目標燃焼量を、前記第１上限燃焼量よりも少ない前記第２上限燃焼量以下に設定することができる。
【００１２】
また、第１発明又は第２発明において、前記コントローラは、前記第２電力により作動しているときに、前記水量調節弁により、前記給水管の最大通水量を前記第１電力により作動しているときよりも少なくすることによって、前記バーナの目標燃焼量を前記第２上限燃焼量以下に設定することを特徴とする（第３発明）。
【００１３】
第３発明によれば、前記コントローラは、前記第２電力により作動しているときに、前記給水管の最大通水量を前記第１電力により作動しているときよりも少なくする。これにより、目標給湯温度を得るために必要な前記バーナの燃焼量が少なくなり、目標給湯温度に応じて決定される前記バーナの目標燃焼量を、前記第１上限燃焼量よりも少ない前記第２上限燃焼量以下に設定することができる。
【００１４】
また、第１発明から第３発明のうちのいずれかにおいて、前記バーナは複数のバーナブロックにより構成されて、燃焼させるバーナブロックの組合せにより燃焼量を変更し、前記コントローラは、燃焼させる前記バーナブロックの組合せ毎に、前記ファンの回転速度と前記燃料供給部による燃料供給量を調節して前記バーナの燃焼量を制御し、該組合せ毎に前記第１上限燃焼量と前記第２上限燃焼量を設定することを特徴とする（第４発明）。
【００１５】
第４発明によれば、詳細は後述するが、燃焼させる前記バーナブロックの組合せによって、前記バーナの燃焼量と前記ファンの回転速度との関係が変化する。そのため、前記コントローラにより、燃焼させる前記バーナブロックの組合せに毎に、前記第１上限燃焼量と前記第２上限燃焼量を設定することによって、バーナブロックの組合せ毎にファンの消費電力を抑制することができる。
【００１６】
また、第１発明から第４発明のうちのいずれかにおいて、前記燃料供給部は、ガス供給管を介して前記バーナに燃料ガスを供給し、該ガス供給管に設けられて、通電量に比例して該ガス供給管の開度が大きくなるガス比例弁を有し、前記コントローラは、前記ガス比例弁の開度を変更して前記バーナへの燃料ガスの供給量を制御することを特徴とする（第５発明）。
【００１７】
第５発明によれば、前記バーナの目標燃焼量を前記第１上限燃焼量よりも少ない前記第２上限燃焼以下に制限することによって、前記燃料供給部の目標燃料供給量が制限され、これに応じて前記ガス比例弁の開度が小さくなる。この場合、前記ガス比例弁の開度を制御するために前記ガス比例弁に供給する電流量が減少するため、前記ガス比例弁の消費電力を抑制して、前記商用電源の停電時における前記給湯装置の給湯可能時間を長くすることができる。
【００１８】
また、第１発明から第５発明のうちいずれかにおいて、前記コントローラが前記第２電力により作動しているときに、給湯能力が制限されていることを報知する報知部を備えたことを特徴とする（第６発明）。
【００１９】
第６発明によれば、前記商用電源の停電中に前記給湯装置を使用した使用者が、前記目標燃焼量の制限により給湯能力が制限されていることを、前記給湯装置の故障と誤認識することを防止することができる。
【図面の簡単な説明】
【００２０】
【図１】本発明の給湯装置の構成図。
【図２】図１に示した給湯装置の制御ブロック図。
【図３】バーナの燃焼量とファンの回転速度との対応を示した説明図。
【図４】バーナの能力制限処理の第１実施形態のフローチャート。
【図５】バーナの能力制限処理の第２実施形態のフローチャート。
【図６】バーナの能力制限処理の第３実施形態のフローチャート。
【図７】バーナの能力制限処理の第４実施形態の第１フローチャート。
【図８】バーナの能力制限処理の第４実施形態の第２フローチャート。
【発明を実施するための形態】
【００２１】
本発明の実施形態について、図１〜図８を参照して説明する。
【００２２】
図１を参照して、本実施形態の給湯装置は、筐体１に収容された缶体１０内に、給水管２０及び給湯管２１と接続された熱交換器１１と、熱交換器１１を加熱するバーナ１２と、バーナ１２の燃焼炎を検出するフレームロッド１３と、バーナ１２に点火するための点火プラグ１４とを備えている。点火プラグ１４はイグナイタ１５と接続され、イグナイタ１５から印加される高電圧により火花放電を発生する。
【００２３】
バーナ１２は、小バーナブロック１２ａと中バーナブロック１２ｂからなり、小バーナブロック１２ａはガス供給管４０から分岐した小バーナ分岐管４３に接続され、中バーナブロック１２ｂはガス供給管４０から分岐した中バーナ分岐管４５に接続されている。ガス供給管４０には、上流側から順に、ガス供給管４０を開閉する元ガス弁４１と、ガス供給管４０の開度を変更するガス比例弁４２が設けられている。
【００２４】
小バーナ分岐管４３には、小バーナ分岐管４３を開閉する能力切替弁（小）４４が設けられている。中バーナ分岐管４５には、中バーナ分岐管４５を開閉する能力切替弁（中）４６が設けられている。
【００２５】
なお、ガス供給管４０、元ガス弁４１、ガス比例弁４２、小バーナ分岐管４３、能力切替弁（小）４４、中バーナ分岐管４５、及び能力切替弁（中）４６により、本発明の燃料供給部が構成される。また、缶体１０の下部に、バーナ１２に燃焼用空気を供給するファン１６が設けられている。
【００２６】
給水管２０には、給水管２０を流通する水の流量を検出する水流センサ２５と、給水管２０の開度を変更する水量サーボ弁２６（本発明の水量調節弁に相当する）と、給水管２０内を流通する水の温度を検出する入水温度センサ２９が設けられている。給湯管２１には、給湯管２１から出湯される湯の温度を検出する出湯温度センサ２７が設けられている。
【００２７】
熱交換器１１は、バーナ１２の燃焼排ガス中の顕熱を回収する主熱交換器１１ａと、燃焼排ガス中の潜熱を回収する副熱交換器１１ｂとにより構成されて、内部を流通する水を加熱する。主熱交換器１１ａと副熱交換器１１ｂの間の箇所と給湯管２１は、バイパス管２３により接続されている。主熱交換器１１ａには過熱を検出する過熱センサ２８が設けられている。
【００２８】
副熱交換器１１ｂで発生するドレンを回収するために、ドレン受け部３０と、ドレン受け部３０に滴下したドレンを中和器３２に導くドレン管３１とが設けられている。
【００２９】
また、給湯装置の作動を制御するコントローラ５０と、停電バックアップ用の電池７１と、商用電源７０及び電池７１に接続されてコントローラ５０に電力を供給する電源回路６０とが備えられ、コントローラ５０には、給湯装置を遠隔操作するためのリモコン２が接続されている。
【００３０】
次に、図２を参照して、コントローラ５０は、ＣＰＵ５１、メモリ５２、入出力インターフェース（図示しない）等を備えた電子回路ユニットである。コントローラ５０には、水流センサ２５の水流検出信号、入水温度センサ２９の温度検出信号、出湯温度センサ２７の温度検出信号、過熱温度センサ２８の温度検出信号、及びフレームロッド１３の炎検出信号が入力される。
【００３１】
また、コントローラ５０から出力される制御信号（制御電力）により、ファン１６、ガス元弁４１、ガス比例弁４２、能力切替弁（小）４４、能力切替弁（中）４６、イグナイタ１５、及び水量サーボ弁２６の作動が制御される。
【００３２】
さらに、コントローラ５０は、リモコン２との間でデータ通信を行って、リモコン２に備えられた運転スイッチ８１（給湯装置を給湯運転が可能な運転状態と給湯運転が不能な待機状態とに切替えるためのスイッチ）等の各スイッチの操作状況を認識する。また、リモコン２の表示器８０の表示内容を制御する。
【００３３】
コントローラ５０は、メモリ５２に保持された給湯装置の制御用プログラムをＣＰＵ５１で実行することによって、給湯管２１から出湯される湯の温度が目標給湯温度（リモコン２により設定される）となるように、バーナ１２の燃焼量と給水管２０の通水量を制御する給湯運転を行なう。
【００３４】
具体的には、コントローラ５０は、水流センサ２５により下限流量以上の通水が検出されたときにバーナ１２に点火し、給湯管２１から供給される湯の温度が目標給湯温度となるように、バーナ１２の目標燃焼量を決定する。また、コントローラ５０は、バーナ１２の燃焼量を最大にしても、目標給湯温度の湯が得られないときには、水量サーボ弁２６により給水管２０の通水量を減少させる。
【００３５】
そして、コントローラ５０は、ファン１６に供給する電力を調節して、ファン１６の回転速度を目標燃焼量に応じた目標回転速度に制御する。また、コントローラ５０は、バーナ１２の能力を、能力切替弁（小）４４を開弁して能力切替弁（中）４６を閉弁することで、小バーナブロック１２ａのみを燃焼させる「能力小」、能力切替弁（中）４６を開弁して能力切替弁（小）４４を閉弁することで、中バーナブロック１２ｂのみを燃焼させる「能力中」、及び、能力切替弁（小）４４と能力切替弁（中）４６を共に開弁することで、小バーナブロック１２ａと中バーナブロック１２ｂの双方を燃焼させる「能力大」の３段階に切替える。
【００３６】
ここで、図３は、バーナ１２の燃焼量とファン１６の回転速度の関係を、縦軸をファン１６の回転速度とし、横軸をバーナ１２の燃焼量として示したものであり、図中、ＢＳが「能力小」でのバーナ１２の燃焼範囲、ＢＭが「能力中」でのバーナ１２の燃焼範囲、ＢＬが「能力大」でのバーナ１２の燃焼範囲である。
【００３７】
コントローラ５０は、目標給湯温度での給湯を行うために必要なバーナ１２の燃焼量が増加するに従って、バーナ１２の能力を、「能力小」→「能力中」→「能力大」と切替える。そして、コントローラ５０は、「能力小」、「能力中」、「能力大」の各段階において、ガス比例弁４２の開度を変更することにより、各段階でのバーナ１２への燃料ガスの供給流量を調節して、バーナ１２の燃焼量を制御する。
【００３８】
コントローラ５０は、電源回路６０から供給される電力により作動する。電源回路６０は商用電源７０（例えば、ＡＣ１００Ｖの商用電源）及び電池７１（例えば、ＤＣ１２Ｖの蓄電池）と接続され、商用電源７０から供給される交流電力を直流電力に変換する整流回路６１と、選択回路６２と、商用電源７０の停電を検知する停電検知回路６３とを備えている。
【００３９】
選択回路６２は、整流回路６１から電力が供給されているときは、整流回路６１からの電力Ｐ１（本発明の第１電力に相当する）を出力する。また、商用電源７０の停電により、整流回路６１からの電力供給が停止しているときには、選択回路６２は、電池７１からの電力Ｐ２（本発明の第２電力に相当する）を出力する。
【００４０】
電池７１は蓄電池（２次電池）であり、商用電源７０から供給される電力により充電される。なお、電池７１に１次電池を用いてもよい。停電検知回路６３は、商用電源７０の停電を検知しているときに、停電検知信号をコントローラ５０に出力する。コントローラ５０は、この停電検知信号の受信により商用電源７０の停電を認識する。
【００４１】
コントローラ５０は、電源回路６０から供給される電力を、リモコン２、ファン１６、ガス元弁４１、ガス比例弁４２、能力切替弁（小）４４、能力切替弁（中）４６、イグナイタ１５、及び水量サーボ弁２６に供給して、これらの作動を制御する。
【００４２】
コントローラ５０は、商用電源７０が停電しておらず、電源回路６０から供給される電力Ｐ１（商用電源７０，整流回路６１からの電力）により作動しているときは、バーナ１２の燃焼量を定格範囲で制御して給湯運転を実行する。
【００４３】
一方、商用電源７０が停電中で、電源回路６０から供給される電力Ｐ２（電池７１からの電力）により作動しているときには、コントローラ５０は、給湯運転におけるバーナ１２の燃料量の上限を定格範囲よりも少なく制限する。
【００４４】
給湯運転におけるバーナ１２の燃焼量の上限を制限することにより、消費電力が多いファン１６の回転速度を下げて、電池７１の放電を抑制することができる。また、給湯運転におけるバーナ１２の燃焼量の上限を制限することにより、ガス比例弁４２の開度を小さくすることができる。そして、ガス比例弁４２は通電量に比例して開度が大きくなる仕様となっているので、ガス比例弁４２の開度を小さくすることにより、ガス比例弁４２の消費電力を減少させて、電池７１の放電を抑制することができる。
【００４５】
このように、コントローラ５０は、商用電源７０の停電によって電源回路６０から供給される電力Ｐ２（電池７１からの電力）により作動しているときに、バーナ１２の燃焼量を制限することによって、商用電源７０が停電中であるときの給湯運転の実行可能時間が長くなるようにしている。
【００４６】
以下、図４〜図８に示したフローチャートに従って、商用電源７０の停電中における給湯運転の第１実施形態〜第４実施形態について説明する。
【００４７】
［第１実施形態］
先ず、図４に示したフローチャートに従って、第１実施形態について説明する。
【００４８】
コントローラ５０は、電源ＯＮ（電源回路６０からの電力供給がなされている状態）で、リモコン２の運転スイッチがＯＮ操作されて運転状態になったときに、ＳＴＥＰ１で、停電検知回路６３からの停電検知信号の入力の有無により、商用電源７０の停電が検知されているか否かを判断する。
【００４９】
商用電源７０の停電が検知されていないときはＳＴＥＰ２に進み、コントローラ５０は、リモコン２の表示器８０への「節電中」の表示をＯＦＦする。この「節電中」の表示は、バーナ１２の燃焼量の制限により、停電が生じていないときよりも給湯能力が低下していることを使用者に報知するためのものである。なお、このように「節電中」の表示を行う構成は、本発明の報知部に相当する。
【００５０】
続くＳＴＥＰ３で、コントローラ５０は、給湯中（水流センサ２５により下限流量以上の通水が検出されて、給湯運転を実行している状態）であるか否かを判断する。給湯中であるときはＳＴＥＰ４に進み、給湯中でないときにはＳＴＥＰ１に分岐する。
【００５１】
ＳＴＥＰ４〜ＳＴＥＰ６は、商用電源７０の停電が生じておらず、コントローラ５０が商用電源７０からの電力Ｐ１により作動しているときの処理であり、コントローラ５０は、バーナ１２の燃焼量を制限せずに給湯運転を行なう。
【００５２】
すなわち、ＳＴＥＰ４で、コントローラ５０は、以下の式（１）により、定格能力水量を算出する。
【００５３】
【数１】
0005511745.tif 000002
【００５４】
但し、定格能力：給湯装置の最大給湯能力（リットル／分・２５℃）、Ｔset（目標給湯温度）、入水温度：入水温度センサ２９による給水管２０に供給される水の検出温度。
【００５５】
そして、続くＳＴＥＰ５で、コントローラ５０は、給水管２０の通水量が定格能力水量と一致するように、水量サーボ弁２６により給水管２０の開度を調節する。また、ＳＴＥＰ６で、コントローラ５０は、給湯管２１から出湯される湯の温度が目標給湯温度Ｔsetと一致するように、バーナ１２の燃焼量を比例制御してＳＴＥＰ１に戻る。
【００５６】
一方、ＳＴＥＰ１で商用電源７０の停電が検知されていたときは、ＳＴＥＰ１０に分岐する。ＳＴＥＰ１０で、コントローラ５０は、リモコン２の表示器８０に「節電中」表示をし、次のＳＴＥＰ１１で給湯中であるか否かを判断する。給湯中であるときはＳＴＥＰ１２に進み、給湯中でないときにはＳＴＥＰ１に分岐する。
【００５７】
ＳＴＥＰ１２〜ＳＴＥＰ１４は、商用電源７０が停電中であって、コントローラ５０が電池７１からの電力Ｐ２により作動しているときの処理である。この処理により、コントローラ５０は、バーナ１２の燃焼量の制御範囲の上限を、商用電源７０の停電が生じていないときよりも減少させて給湯運転を行なう。
【００５８】
すなわち、ＳＴＥＰ１２で、コントローラ５０は、以下の式（２）により、節電能力水量を算出する。
【００５９】
【数２】
0005511745.tif 000003
【００６０】
但し、節電能力：定格能力よりも低く設定した給湯能力（リットル／分・２５℃）、Ｔset_lmt（上限を４５℃として設定された目標給湯温度）、入水温度：入水温度センサ２９による給水管２０に供給される水の検出温度。
【００６１】
そして、続くＳＴＥＰ１３で、コントローラ５０は、給水管２０の最大通水量が節電能力水量と一致するように、水量サーボ弁２６により給水管２０の開度を調節する。また、ＳＴＥＰ１４で、コントローラ５０は、給湯管２１から出湯される湯の温度が目標給湯温度Ｔset_lmtと一致するように、バーナ１２の燃焼量を比例制御してＳＴＥＰ１に戻る。
【００６２】
ＳＴＥＰ１２〜ＳＴＥＰ１４の処理では、給水管２０の通水量が節電能力水量以下に制限されるため、バーナ１２の最大燃焼量が、ＳＴＥＰ４〜ＳＴＥＰ６の処理を行う場合よりも小さくなる。そのため、ファン１６の回転速度が低く抑えられる共に、ガス比例弁４２の開度も小さく抑えられて、ファン１６とガス比例弁４２の消費電力が少なくなる。これにより、電池７１の放電量を少なくして、商用電源７０が停電中であるときの給湯可能時間を長くすることができる。
【００６３】
［第２実施形態］
次に、図５に示したフローチャートに従って、第２実施形態について説明する。
【００６４】
図５のＳＴＥＰ２１〜ＳＴＥＰ２６の処理は、図４のＳＴＥＰ１〜ＳＴＥＰ６の処理と同様であるため、説明を省略する。
【００６５】
ＳＴＥＰ２１で商用電源７０の停電が検知されているときに、ＳＴＥＰ３０に分岐する。ＳＴＥＰ３０で、コントローラ５０は、リモコン２の表示器８０の「節電中」表示をし、次のＳＴＥＰ３１で給湯中であるか否かを判断する。給湯中であるときはＳＴＥＰ３２に進み、給湯中でないときにはＳＴＥＰ２１に分岐する。
【００６６】
ＳＴＥＰ３２〜ＳＴＥＰ３３は、商用電源７０が停電中であって、コントローラ５０が電池７１からの電力Ｐ２により作動しているときの給湯運転の処理である。この処理により、コントローラ５０は、バーナ１２の燃焼量の制御範囲の上限を、商用電源７０の停電が生じていないときよりも減少させて給湯運転を行なう。
【００６７】
すなわち、ＳＴＥＰ３２で、コントローラ５０は、給水管２０の通水量が、予め設定された節電最大水量以下になるように、水量サーボ弁２６の開度を制御する。そして、続くＳＴＥＰ３３で、コントローラ５０は、給湯管２１から出湯される湯の温度が目標給湯温度Ｔset_lmtと一致するように、バーナ１２の燃焼量を比例制御してＳＴＥＰ２１に戻る。
【００６８】
ＳＴＥＰ３２〜ＳＴＥＰ３３の処理では、給水管２０の通水量が節電最大水量以下に制限されるため、バーナ１２の最大燃焼量が、このような制限のないＳＴＥＰ２４〜ＳＴＥＰ２６の処理を行う場合よりも小さくなる。そのため、ファン１６の回転速度が低く抑えられると共に、ガス比例弁４２の開度も小さく抑えられて、ファン１６とガス比例弁４２の消費電力が少なくなる。これにより、電池７１の放電量を少なくして、商用電源７０が停電中であるときの給湯可能時間を長くすることができる。
【００６９】
［第３実施形態］
次に、図６に示したフローチャートに従って、第３実施形態について説明する。
【００７０】
図６のＳＴＥＰ４１〜ＳＴＥＰ４６の処理は、図４のＳＴＥＰ１〜ＳＴＥＰ６の処理と同様であるため、説明を省略する。
【００７１】
ＳＴＥＰ４１で商用電源７０の停電が検知されているときに、ＳＴＥＰ５０に分岐する。ＳＴＥＰ５０で、コントローラ５０は、リモコン２の表示器８０に「節電中」表示をし、次のＳＴＥＰ５１で給湯中であるか否かを判断する。給湯中であるときはＳＴＥＰ５２に進み、給湯中でないときにはＳＴＥＰ４１に分岐する。
【００７２】
ＳＴＥＰ５２〜ＳＴＥＰ５３は、商用電源７０が停電中であって、コントローラ５０が電池７１からの電力Ｐ２により作動しているときの給湯運転の処理である。この処理により、コントローラ５０は、バーナ１２の燃焼量の制御範囲の上限を、商用電源７０の停電が生じていないときよりも減少させて給湯運転を行なう。
【００７３】
すなわち、ＳＴＥＰ５２で、コントローラ５０は、以下の式（３）により、節電能力水量を算出する。
【００７４】
【数３】
0005511745.tif 000004
【００７５】
但し、節電バーナ能力：目標給湯温度に対して、能力小段階で燃焼量が最小となるバーナ能力（リットル／分・２５℃）、Ｔset_lmt（上限を４５℃として設定された目標給湯温度）、入水温度：入水温度センサ２９による給水管２０に供給される水の検出温度。
【００７６】
そして、続くＳＴＥＰ５３で、コントローラ５０は、給湯管２１に出湯される湯の温度が目標給湯温度Ｔset_lmtと一致するように、節電能力水量を目安にして、水量サーボ弁２６の開度を制御してＳＴＥＰ４１に戻る。
【００７７】
ＳＴＥＰ５２〜ＳＴＥＰ５３の処理では、給水管２０の通水量が節電能力水量付近に制限されるため、バーナ１２の最大燃焼量が、このような制限のないＳＴＥＰ４４〜ＳＴＥＰ４６の処理を行う場合よりも小さくなる。そのため、ファン１６の回転速度が低く抑えられると共に、ガス比例弁４２の開度も小さく抑えられて、ファン１６とガス比例弁４２の消費電力が少なくなる。これにより、電池７１の放電量を少なくして、商用電源７０が停電中であるときの給湯可能時間を長くすることができる。
【００７８】
［第４実施形態］
次に、図７〜図８に示したフローチャートに従って、第４実施形態について説明する。
【００７９】
図７のＳＴＥＰ６１〜ＳＴＥＰ６６の処理は、図４のＳＴＥＰ１〜ＳＴＥＰ６の処理と同様であるため、説明を省略する。
【００８０】
ＳＴＥＰ６１で商用電源７０の停電が検知されているときは、ＳＴＥＰ７０に分岐する。ＳＴＥＰ７０で、コントローラ５０は、リモコン２の表示器８０に「節電中」表示をし、次のＳＴＥＰ７１で給湯中であるか否かを判断する。給湯中であるときは図８のＳＴＥＰ７２に進み、給湯中でないときにはＳＴＥＰ６１に分岐する。
【００８１】
ＳＴＥＰ７２〜ＳＴＥＰ７６、ＳＴＥＰ８０〜ＳＴＥＰ８１、及びＳＴＥＰ９０は、商用電源７０が停電中であって、コントローラ５０が電池７１からの電力により作動しているときの給湯運転の処理である。この処理により、コントローラ５０は、バーナ１２の各能力段階（「能力小」、「能力中」、「能力大」）における燃焼量の制御範囲の上限を、商用電源７０の停電が生じていないときよりも減少させて給湯運転を行なう。
【００８２】
すなわち、ＳＴＥＰ７２で、コントローラ５０は、給湯管２１から目標給湯温度の湯を出湯するために必要なバーナ１２の燃焼量を、リモコン２により設定された目標給湯温度と、入水温度センサ２９により検出された給水管２０への入水温度と、水流センサ２５により検出された給水管２０の通水量とに基づいて算出する。
【００８３】
続くＳＴＥＰ７３で、コントローラ５０は、バーナ１２の必要燃焼量が能力大の範囲であるか否かを判断する。そして、バーナ１２の必要燃焼量が「能力大」の範囲であるときはＳＴＥＰ７４に進み、「能力大」の範囲よりも少ないときにはＳＴＥＰ８０に分岐する。
【００８４】
ＳＴＥＰ８０で、コントローラ５０は、バーナ１２の必要燃焼量が「能力中」の範囲であるか否かを判断する。そして、バーナ１２の必要燃焼量が「能力中」の範囲であるときはＳＴＥＰ８１に進み、「能力中」の範囲よりも少ないときにはＳＴＥＰ９０に分岐する。
【００８５】
ＳＴＥＰ７４で、コントローラ５０は、以下の式（４）により、節電能力水量を算出する。
【００８６】
【数４】
0005511745.tif 000005
【００８７】
但し、節電大バーナ能力：目標給湯温度に対して、「能力大」の範囲で燃焼量が最小となるバーナ能力（リットル／分・２５℃）、Ｔset_lmt（上限を４５℃として設定された目標給湯温度）、入水温度：入水温度センサ２９による給水管２０に供給される水の検出温度。
【００８８】
ＳＴＥＰ８１で、コントローラ５０は、以下の式（５）により、節電能力水量を算出する。
【００８９】
【数５】
0005511745.tif 000006
【００９０】
但し、節電中バーナ能力：目標給湯温度に対して、「能力中」の範囲で燃焼量が最小となるバーナ能力（リットル／分・２５℃）、Ｔset_lmt（上限を４５℃として設定された目標給湯温度）、入水温度：入水温度センサ２９による給水管２０に供給される水の検出温度。
【００９１】
ＳＴＥＰ９０で、コントローラ５０は、以下の式（６）により、節電能力水量を算出する。
【００９２】
【数６】
0005511745.tif 000007
【００９３】
但し、節電小バーナ能力：目標給湯温度に対して、「能力小」の範囲で燃焼量が最小となるバーナ能力（リットル／分・２５℃）、Ｔset_lmt（上限を４５℃として設定された目標給湯温度）、入水温度：入水温度センサ２９による給水管２０に供給される水の検出温度。
【００９４】
ここで、節電大バーナ能力は、図３に示したように、「能力大」の燃焼範囲において、ファン１６の回転速度が上限速度Ｒlmtとなる燃焼量ＢＬ_imtに基づいて設定される。同様に、節電中バーナ能力は、「能力中」の燃焼範囲において、ファン１６の回転速度が上限速度Ｒlmtとなる燃焼量ＢＭ_lmtに基づいて設定される。また、節電小バーナ能力は、「能力小」の燃焼範囲において、ファン１６の回転速度が上限速度Ｒlmtとなる燃焼量ＢＳ_lmtに基づいて設定される。
【００９５】
そして、コントローラ５０は、ＳＴＥＰ７５で、給水管２０の最大通水量が、上記式（４）〜式（６）のいずれかにより算出した節電能力水量と一致するように、水量サーボ弁２６の開度を制御する。また、続くＳＴＥＰ７６で、コントローラ５０は、給湯管２１から供給される湯の温度がＴset_lmtと一致するように、バーナ１２の燃焼量を比例制御して、図７のＳＴＥＰ６１に戻る。
【００９６】
ＳＴＥＰ７２〜ＳＴＥＰ７６、ＳＴＥＰ８０〜ＳＴＥＰ８１、及びＳＴＥＰ９０の処理では、バーナ１２の各能力段階（能力小、能力中、能力大）の燃焼量が、対応する節電大バーナ能力，節電中バーナ能力，節電小バーナ能力により制限されるため、バーナ１２の最大燃焼量が、このような制限のないＳＴＥＰ６４〜ＳＴＥＰ６６の処理を行う場合よりも減少する。
【００９７】
そのため、ファン１６の回転速度が低く抑えられると共に、ガス比例弁４２の開度も小さく抑えられて、ファン１６とガス比例弁４２の消費電力が少なくなる。これにより、電池７１の放電量を少なくして、商用電源７０が停電中であるときの給湯可能時間を長くすることができる。
【００９８】
なお、本実施形態では、ガスを燃料とする給湯装置を示したが、灯油等の他の燃料を用いる給湯装置に対しても本発明の適用が可能である。
【００９９】
また、本実施形態では、コントローラ５０が電池７１からの電力によって作動しているときに、リモコン２の表示部８０に、「節電中」表示を行ったが、この報知を行なわない場合であっても本発明の効果を得ることができる。
【０１００】
また、本実施形態では、ガス供給管４０にガス比例弁４２を設けて燃料ガスの供給流量を調節したが、サーボ弁を用いて燃料ガスの供給流量を調節してもよい。
【符号の説明】
【０１０１】
１…給湯装置の筐体、２…リモコン、１１…熱交換器、１２…バーナ、１６…ファン、２０…給水管、２１…給湯管、２６…水量サーボ弁（水量調節弁）、４２…ガス比例弁、５０…コントローラ、６０…電源回路、７０…商用電源、７１…電池。
【図１】
0005511745.tif 000008
【図２】
0005511745.tif 000009
【図３】
0005511745.tif 000010
【図４】
0005511745.tif 000011
【図５】
0005511745.tif 000012
【図６】
0005511745.tif 000013
【図７】
0005511745.tif 000014
【図８】
0005511745.tif 000015